(57)【要約】  【課題】  ページ繰りが容易で且つ使い勝手の良い本の紙面押え器具を提供する。  【解決手段】  ページクリップ１は、本の紙葉を挟持する一対の挟持体１１，１２と、両挟持体１１，１２を所定間隔で保持する保持体１０とを備え、挟持体１１，１２を、紙葉の紙面を上から押える上押え部１３，１５と、上押え部１３，１５に相対して形成し紙葉を下から支える下支え部１４，１６とで構成し、下支え部１４，１６から延長して上押え部１３，１５よりも突き出た差込手段１４ａ，１６ａを設けたものであって、差込手段１４ａ，１６ａを本の紙葉の間に差し込み、挟持空間１７，１８に導き入れた紙葉の一部を挟持体１１，１２で挟持することにより、軽い力で紙面を押えることができページ繰りの容易なものになり、また差込動作一つでページ押えができ使い勝手の良いものになる。【選択図】      図１
2008254416.tif 000002
【特許請求の範囲】
【請求項１】
本の紙葉を挟持する一対の挟持体と、間隔を有して両方の前記挟持体を保持する保持体
とを備え、
前記挟持体を、前記紙葉を上から押える上押え部と、当該上押え部に相対し前記紙葉を下
から支える下支え部とから形成し、
少量の前記紙葉を前記挟持体に導き入れるよう当該紙葉の間に差し込まれる差込手段を前
記下支え部に設けたことを特徴とする本の紙面押え器具。
【請求項２】
前記紙葉を前記挟持体へ導く案内手段を前記上押え部に設けたことを特徴とする請求項
１に記載の本の紙面押え器具。
【請求項３】
前記本の背を持ち上げる持上手段を前記保持体に設けたことを特徴とする請求項１に記
載の本の紙面押え器具。
【請求項４】
前記差込手段が前記紙葉の間に差し込まれて、前記挟持体に導き入れられた前記紙葉の
縁が当たる前記保持体の当縁部分を、前記保持体の非当縁部分より反差込方向側に後退さ
せて形成したことを特徴とする請求項１に記載の本の紙面押え器具。
【請求項５】
前記挟持体が保持される前記間隔を調節することができる構成にしたことを特徴とする
請求項１に記載の本の紙面押え器具。
【請求項６】
当該本の紙面押え器具に、広告手段を設けたことを特徴とする請求項１に記載の本の紙
面押え器具。
【発明の詳細な説明】
【技術分野】
【０００１】
本発明は、本の開いた紙面がめくれたり閉じたりしない様に押える本の紙面押え器具に
関する。
【背景技術】
【０００２】
従来の本の紙面押え器具には、弾力性の有る材質による本のページを開いた状態に保持
するものがある（例えば、特許文献１参照）。
図１４は、従来のページ止めクリップの使用態様を示す斜視図である。このページ止め
クリップによれば、指をかける部分６３にそれぞれ人差し指と薬指をかけ、指で押える部
分６４を親指で押すとクリップはパンタグラフ状に開く。本６０の背を内側２本のつめ部
６１で挟み込み、その両側より反対方向に伸びた弾力性の有る腕部の突起部６２で本の背
と開いたページを挟み込む。
ページをめくる場合は、ページを腕部の突起部６２より斜め下方向にずらし、反対側の
突起部６２を軽く持ち上げてページを滑り込ませる。このようにして本のページがその構
造上や風などによって、閉じたりがめくれたりしない様に、目的のページを開いたままに
している。
【特許文献１】特開２００１−８０２４３号公報
【発明の開示】
【発明が解決しようとする課題】
【０００３】
以上に述べた従来のページ止めクリップでは、本の背と開いたページを挟むので、クリ
ップの弾力性が大きくなり、紙面を強く押えることになる。そのためにページをめくるこ
とに強い力を要するという難点がある。また、クリップを使いページを押えるとき指をか
ける・指で押す・つめ部で挟み込むという複数の動作があり、更にページをめくるときク
リップを持ち上げる動作が余分に必要であり、その使い勝手に難点があるという課題を有
していた。また、本の背と開いたページを挟み込むので、ページ止めクリップが大きくな
るという課題も有していた。
【０００４】
したがって本発明は、上記課題を鑑みてなされたものであり、開いたページの紙葉をめ
くることが容易で、また使い勝手の良い本の紙面押え器具を提供することを目的としてい
る。
【課題を解決するための手段】
【０００５】
請求項１記載の本発明の本の紙面押え器具は、本の紙葉を挟持する一対の挟持体と、間
隔を有して両方の前記挟持体を保持する保持体とを備え、前記挟持体を、前記紙葉を上か
ら押える上押え部と、当該上押え部に相対し前記紙葉を下から支える下支え部とから形成
し、少量の前記紙葉を前記挟持体に導き入れるよう当該紙葉の間に差し込まれる差込手段
を前記下支え部に設けたことを特徴とする。
請求項２記載の本発明は、請求項１に記載の本の紙面押え器具において、前記紙葉を前
記挟持体へ導く案内手段を前記上押え部に設けたことを特徴とする。
請求項３記載の本発明は、請求項１に記載の本の紙面押え器具において、前記本の背を
持ち上げる持上手段を前記保持体に設けたことを特徴とする。
請求項４記載の本発明は、請求項１に記載の本の紙面押え器具において、前記差込手段
が前記紙葉の間に差し込まれて、前記挟持体に導き入れられた前記紙葉の縁が当たる前記
保持体の当縁部分を、前記保持体の非当縁部分より反差込方向側に後退させて形成したこ
とを特徴とする。
請求項５記載の本発明は、請求項１に記載の本の紙面押え器具において、前記挟持体が
保持される前記間隔を調節することができる構成にしたことを特徴とする。
請求項６記載の本発明は、請求項１に記載の本の紙面押え器具において、当該本の紙面
押え器具に、広告手段を設けたことを特徴とする。
【発明の効果】
【０００６】
本発明によれば、ページを挟むとき軽い力で紙面を押えるので、本の開いたページの紙
葉をめくること（以下、ページ繰り）の容易化が図られる。且つ、本の開いたページの紙
面を押えること（以下、ページ押え）が差込動作ひとつでできるので、使い勝手の向上が
図られる。
また、案内手段で導くことにより紙葉の導入や滑り込まし、また紙葉の抜き取りの円滑
化が図られる。さらに、少量の紙葉を挟持することにより小型化が図られるとともに、本
の薄さ・厚さに関わらず用いられる利便性の向上が図られる。
【発明を実施するための最良の形態】
【０００７】
本発明の第１の実施の形態による本の紙面押え器具は、本の紙葉を挟持する一対の挟持
体と、間隔を有して両方の挟持体を保持する保持体とを備え、挟持体を、紙葉を上から押
える上押え部と、当該上押え部に相対し紙葉を下から支える下支え部とから形成し、少量
の紙葉を挟持体に導き入れるよう紙葉の間に差し込まれる差込手段を下支え部に設けたも
のである。
本実施の形態によれば、差込手段を紙葉の間に差し込むことにより、挟持体に少量の紙
葉を導き入れてそれを挟持することができるので、軽い力によるページ押えが可能になり
、ページ繰りが容易になる。また、差込手段を紙間に差し込む動作ひとつでページ押えが
行えるとともに、クリップを持ち上げることもなくページ繰りが行えるので、使い勝手が
良くなる。さらに、少量の紙葉を挟持することにより挟持体を小さく作ることができ、本
の紙面押え器具の小型化が図られる。
本発明の第２の実施の形態は、第１の実施の形態による本の紙面押え器具において、紙
葉を挟持体へ導く案内手段を上押え部に設けたものである。本実施の形態によれば、案内
手段が紙葉を案内することで紙の引っ掛かりを防ぎ、紙葉の挟持体への導入などを円滑に
する。
本発明の第３の実施の形態は、第１の実施の形態による本の紙面押え器具において、本
の背を持ち上げる持上手段を保持体に設けたものである。本実施の形態によれば、読者の
目線を本の紙面に直交させるので、本を読み易くする。
本発明の第４の実施の形態は、第１の実施の形態による本の紙面押え器具において、差
込手段が紙葉の間に差し込まれて、挟持体に導き入れられた紙葉の縁が当たる保持体の当
縁部分を、保持体の非当縁部分より反差込方向側に後退させて形成したものである。本実
施の形態によれば、非当縁部分によるページ繰りの妨げを防ぐことができる。
本発明の第５の実施の形態は、第１の実施の形態による本の紙面押え器具において、挟
持体が保持される間隔を調節することができる構成にしたものである。本実施の形態によ
れば、本の大きさに対応することができる。
本発明の第６の実施の形態は、第１の実施の形態による本の紙面押え器具において、当
該本の紙面押え器具に、広告手段を設けたものである。本実施の形態によれば、本の紙面
押え器具の付加価値を高め、販売促進に役立てることができる。
【実施例１】
【０００８】
以下、本発明の一実施例による本の紙面押え器具を図面に基づいて説明する。
まず構成を説明する。図１は、本発明の実施例１の本の紙面押え器具を示す斜視図であ
る。図２は、図１におけるＸ−Ｘ矢視の拡大断面図である。  
本実施例の本の紙面押え器具１（以下、ページクリップ１）は、開いた本の紙葉を挟持
する一対の第１挟持体１１及び第２挟持体１２と、その両端に第１挟持体１１及び第２挟
持体１２を所定の間隔で保持する保持体１０とが、弾力性の有る合成樹脂（例えばＡＢＳ
樹脂、ポリアミド系樹脂など）で板状に一体成形されている構成である。
【０００９】
即ち、保持体１０は、その長手方向の両端に、左右に開かれた本の例えば左ページの紙
葉の一部を挟持する第１挟持体１１と、右ページの紙葉の一部を挟持する第２挟持体１２
とを、所定間隔で保持している。換言すれば、保持体１０は突っ張る状態で第１挟持体１
１及び第２挟持体１２を保持し、その所定間隔を維持する構成になっている。この構成に
よって、開かれた本が閉じられることを防止している。
【００１０】
この場合、保持体１０が長手方向に折れ曲がると本が閉じてしまうので、保持体１０は
折れ曲がりに対する強度（耐座屈強度）が必要である。ページクリップ１を合成樹脂で作
る場合であれば、保持体１０の耐座屈強度を高める構成にすることが望ましい。そこで、
本実施例では、図２に示すように、保持体１０の曲げ強さを補う補強手段としてリブ１０
ａを当該保持体１０に設けて、保持体１０の耐座屈強度を高める構成にしている。
【００１１】
ところで、上述の所定間隔は、図１に示すように、第１挟持体１１の中心部から第２挟
持体１２の中心部までの距離Ｂであり、本の寸法に応じて決まる寸法である。そして、本
の大きさが例えば単行本であれば、所定間隔Ｂは９ｃｍ〜１６ｃｍ位が望ましく、また文
庫本であれば、所定間隔Ｂは６ｃｍ〜１２ｃｍ位が望ましい。即ち、本の大きさに応じて
ページクリップ１の大きさ（保持体の長手方向の寸法）を変えることが望ましい。
【００１２】
一方、第１挟持体１１は、本の紙葉に当接して当該紙葉（の紙面）を上から押える上押
え部１３と、この上押え部１３に相対し当該上押え部１３との間に導き入れられる紙葉を
下から支える下支え部１４とから形成されている。
換言すれば、第１挟持体１１は、保持体１０の一方端の下方から突き出した下支え部１
４と、その上方から突き出し、始めは下支え部１４に併行し、次に下支え部１４に当接す
るまたは小隙間を有するほどに近接し、最後に反転して下支え部１４から離れる形状（略
波型の形状）に形成した上押え部１３と、から成る。
そして、下支え部１４から延長して上押え部１３よりも突き出ている差込手段１４ａを
当該下支え部１４の先の方に設けている。  
即ち、差込手段１４ａは、当該差込手段１４ａを本の紙葉の間に差し込むことによって
、上押え部１３と下支え部１４との間に形成した挟持空間１７に、紙葉の一部を導き入れ
ることを可能にするよう設けられている。そして、挟持空間１７に導き入れられた紙葉の
一部を第１挟持体１１が挟持する構成となっている。
【００１３】
同様に第２挟持体１２を互いに相対する上押え部１５と下支え部１６とから形成し、こ
の下支え部１６に紙葉の間に差し込まれる差込手段１６ａを設ける。即ち、差込手段１６
ａを紙葉の間に差し込んだとき、上押え部１５と下支え部１６とで形成する挟持空間１８
に少量の紙葉を導き入れるよう形成する。そして、挟持空間１８を有する第２挟持体１２
にて少量の紙葉を挟持する構成となっている。
言い換えれば、開いた本の紙葉を例えば５〜１０枚または１０〜２０枚を掬い上げるよ
うに、差込手段１４ａ，差込手段１６ａを紙葉の間に差し込むことによって、それらの少
量の紙葉が第１挟持体１１及び第２挟持体１２に導き入れられ挟まれる構造になっている。
【００１４】
上述の第１挟持体１１及び第２挟持体１２が少量の紙葉を薄く挟む構成は、本の背と開
いたページを厚く挟む従来の構成より、挟持体の紙面を押える力を弱いものとすることが
できる。すなわち、本実施例のページクリップ１では、紙面を弱く押えてページ押えを行
うことになり、ページ繰りが容易になる。    
また、本実施例のページクリップ１では、紙葉を厚く挟持することがなく、また左右ペ
ージの紙葉を同程度の枚数で挟持しアンバランスがないので、挟持体の寸法を小さく作る
こと、即ちページクリップ１を小型化することができる。
さらに、上押え部１３及び上押え部１５の先端角や縁に丸みを形成する構成とすれば、
紙面を傷つけないでページ繰りができる利点がある。
【００１５】
一方、本実施例では、前述のように上押え部１３を略波型の形状に形成している。換言
すれば、図２（ａ）に示すように、上押え部１３の先端を例えば反らした形状（あるいは
つま先を上げたような形状）に形成して、紙葉を第１挟持体１１へ導く案内手段１３ａを
上押え部１３に設けている。同様に、紙葉を第２挟持体１２へ導く案内手段１５ａを上押
え部１５に設けている。
この案内手段１３ａ，１５ａが紙葉を案内して、その紙葉の縁の引っ掛かりを防止する
ので、ページクリップ１を差し込んでページ押えを行うとき、紙葉の挟持空間１７，１８
への導入を滑らかにする。すなわち、「ページ押え時の円滑なる案内効果」が得られる。
同時に、ページクリップ１でページ押えを行っている場合にページ繰りを行うとき、紙
葉の挟持空間１７，１８への挿し入れや、紙葉の挟持空間１７，１８からの抜き取りを円
滑にする。すなわち、「ページ繰り時の円滑なる案内効果」が得られる。
【００１６】
また、図１に示すように、差込手段１４ａの先端角１４ｃ及び差込手段１６ａの先端角
１６ｃを、丸みのある形状（あるいは、角の取れている形状）に形成している。この構成
によれば、差込手段１４ａ，１６ａの紙間への差し込みを滑らかにするとともに、紙間に
差し込むとき紙面を傷つけない利点がある。
さらに、図２（ａ）に示すように、差込手段１４ａの先端部１４ｂを先端に向かって徐
々に薄くするテーパ形状に形成している。この構成によれば、差込手段１４ａの紙間への
差し込みを滑らかにするとともに、差込手段１４ａによる紙葉の掬い上げを容易にする利
点がある。
【００１７】
また、図１，図２（ａ）に示すように、差込手段１４ａを有する下支え部１４の長さ寸
法Ｌ２を上押え部１３の長さ寸法Ｌ１より長く形成する。この構成によれば、差し込み時
に上押え部１３が妨げとならず、差込手段１４ａの紙間への差し込みを容易にする利点が
ある。
また、上押え部１３の幅寸法Ｄ１を比較的広く形成する。例えば、幅寸法Ｄ１を２.５
ｃｍ〜５ｃｍとする。この構成によれば、摩擦力を高め紙面押えを安定・確実にする利点があ
る。また、差込手段１４ａの幅寸法Ｄ２を比較的細く形成する。例えば、幅寸法Ｄ２を１ｃｍ
〜３ｃｍとする。この構成によれば、紙間への差し込みを容易にする利点がある。  
しかしながら、それらの寸法が長すぎても広すぎても細すぎても、差し込みやページ繰
りに難点が生じるので、寸法には留意する必要がある。
ところで、図２（ｂ）に示すように、差込手段１４ａを有する下支え部１４の長さ寸法
Ｌ４を、上押え部１３の長さ寸法Ｌ３と、同一にまたは少し短めに形成する構成であって
も良い。換言すれば、差込手段１４ａを上押え部１３よりも突き出して設ける必要性は必
ずしもない。例えば先端を反らした形状の案内手段１３ａやテーパ形状の差込手段１４ａ
を設ける構成であれば、同一または少し短めの上記構成であっても、紙葉の掬い上げと紙
間への差し込みとが可能であるからである。
【００１８】
次に動作を説明する。図３は、実施例１の本の紙面押え器具の使用態様を示す斜視図で
ある。図４は、図３におけるＹ−Ｙ矢視の断面図である。
図３，図４において、第１挟持体１１の差込手段１４ａが左右に開かれた本５０の左ペ
ージ５１の紙間に差し込まれると、第１挟持体１１の挟持空間１７に左ページ５１の少量
の紙葉が導き入れられる。そして挟持空間１７に導き入れられた紙葉を、上押え部１３が
その軽い弾力性でもって上から押え、下支え部１４が下から保持する。このようにして第
１挟持体１１により少量の紙葉が挟持される。
同様に第２挟持体１２の差込手段１６ａが右ページ５２の紙間に差し込まれ、第２挟持
体１２の挟持空間１８に紙葉の一部が導き入れられる。そして、その紙葉を上押え部１５
が押え下支え部１６が支えて、第２挟持体１２によって紙葉の一部が挟持される。
即ち、少量の紙葉を両挟持体１１，１２が挟持することにより、軽い力によるページ押
えが可能になり、ページ繰りが容易になる。且つ、差し込み動作ひとつでページ押えが行
え、余分な動作もなくページ繰りが行えるので、使い勝手が良くなる。
また、保持体１０は第１挟持体１１及び第２挟持体１２を突っ張って保持し、その所定
間隔を維持する。これによって、左右ページの開いた紙面がめくれたり本が閉じたりする
ことが防止される。  
【００１９】
一方、図４において、保持体１０は、本５０の導入された紙葉の縁５４に当たり、本５
０に対する保持体自体の位置を決める機能を有する。換言すれば、差込手段１４ａが紙間
に差し込まれて、縁５４が保持体１０の当縁部分１０ｂに当たることによって、ページク
リップ１が位置決めされる。従って、保持体１０は、本５０の縁５４が当たる当縁部分１
０ｂと、当該当縁部分１０ｂを除く非当縁部分１０ｃとに分かれている。
そして、図５に示すように、保持体１０の非当縁部分１０ｃが、当縁部分１０ｂより手
前の差込方向（図３，図５のＰ矢視方向）側に出っ張っている構成（図５に示す保持体の
構成）であると、ページ繰り時に、紙葉の縁５４が非当縁部分１０ｃに引っ掛かり、ペー
ジ繰りに支障が生じる。
従って、図６に示すように、保持体１０の非当縁部分１０ｃを、当縁部分１０ｂより反
差込方向（図４，図６のＱ矢視方向）側に後退させる構成（図６に示す保持体の構成）に
することによって、ページ繰りの妨げを防ぐことが望ましい。
また、図２に示す本実施例の保持体１０のように、非当縁部分１０ｃを当縁部分１０ｂ
と同一面にする構成であっても良く、上記と同様な効果が得られる。      
【００２０】
また、図３において、上押え部１３（含む案内手段１３ａ）の先端が印刷境界線５３を
越えて文字印刷面５５を覆うと読書に支障が生じる。従って、図４において、保持体１０
の当縁部分１０ｂから上押え部１３（含む案内手段１３ａ）の先端までの距離Ｍは、当縁
部分１０ｂから印刷境界線５３までの距離Ｎより短く形成する構成として、読書の妨げを
防ぐことが望ましい。
そして、距離Ｍを距離Ｎより短く形成する場合、前述の下支え部１４の長さ寸法Ｌ２を
上押え部１３の長さ寸法Ｌ１より長く形成する構成にすることが、第１挟持体１１，第２
挟持体１２による挟持（ページ押え）を安定化（確実化）するので望ましい。
【００２１】
以上のような本実施例のページクリップ１により、ページ繰りが容易で、また使い勝手
の良い本の紙面押え器具を提供することができる。
ところで、実施例１では本の紙面押え器具を合成樹脂にて一体成形する構成を示したが
、ページクリップ１を板金で一体成形する構成（図示せず）や、板金で作られた両挟持体
と同様に板金で作られた保持体とを接合する構成（図示せず）も可である。後者の別体同
士を接合する構成は、材料の歩留まりの点から望ましい。なお、板金材として、例えば、
めっき鋼板、ステンレス鋼板、ばね鋼板、りん青銅板などがある。
【実施例２】
【００２２】
図７は、本発明の実施例２の本の紙面押え器具を示す斜視図である。本実施例の本の紙
面押え器具の構成と動作は、前述の実施例１とほぼ同様であり、その構成と動作の詳細な
説明を省略する。
本実施例のページクリップ２は、保持体２０、第１挟持体２１及び第２挟持体２２がペ
ージクリップ１と同様に合成樹脂で一体成形して作られ、第１挟持体２１及び第２挟持体
２２が保持体２０の両端に所定の間隔で保持される構成である。
そして、保持体２０はその断面形状が楕円の棒状に、第１挟持体２１及び第２挟持体２
２はその断面形状が円形の棒状に形成されている。
また、第１挟持体２１は、上押え部２３と、上押え部２３よりも突き出た差込手段２４
ａを有する下支え部２４とから成り、上押え部２３と下支え部２４とが相対して挟持空間
１７を形成している。第２挟持体２２は、上押え部２５と、上押え部２５よりも突き出た
差込手段２６ａを有する下支え部２６とから成り、上押え部２５と下支え部２６とが相対
して挟持空間１８を形成している。
さらに、上押え部２３，２５に案内手段２３ａ，２５ａが設けられている構成である。
【００２３】
このような構成のページクリップ２において、上押え部２３，２５よりも突き出た差込
手段２４ａ，２６ａを紙葉の間に差し込むことによって、紙葉の一部を挟持空間１７，１
８に導き入れる。導き入れられた紙葉を上押え部２３，２５が上から押え、下支え部２４
，２６が下から支える。
即ち、少量の紙葉を両挟持体２１，２２が挟持することにより、軽い力によるページ押
えが可能になり、ページ繰りが容易になる。且つ、差し込み動作ひとつでページ押えが行
えるので、使い勝手が良くなる。
また、案内手段２３ａ，２５ａが紙を導き紙の引っ掛かりを防ぐことにより、紙葉の両
挟持体２１，２２への導入と、紙葉の両挟持体２１，２２への滑り込まし及び紙葉の両挟
持体２１，２２からの抜き取りとが円滑になる。
【００２４】
以上のような本実施例のページクリップ２により、ページ繰りの容易な使い勝手の良い
本の紙面押え器具を提供することができる。
また、ページクリップ２は、小型軽量で取り扱い性が良いものとなるので、文庫本など
の押えに適している。
なお、ページクリップ２では、保持体２０の断面形状を楕円とし、両挟持体２１，２２
の断面形状を円としたが、その断面形状は長円であっても良くこれらの形状に限定される
ものではない。
【実施例３】
【００２５】
図８は、本発明の実施例３の本の紙面押え器具を示す斜視図であり、図９は、実施例３
の本の紙面押え器具の使用態様を示す斜視図である。本実施例の本の紙面押え器具の構成
と動作は、前述の実施例１とほぼ同様であり、本実施例の実施例１と異なる構成と動作に
ついて説明する。
本実施例のページクリップ３は、保持体３０、第１挟持体３１及び第２挟持体３２が、
一本の弾力性を有する針金（例えば、めっき鋼線、ステンレス鋼線など）から、第１挟持
体３１と保持体３０と第２挟持体３２との順に連結して形成される。そして、第１挟持体
３１及び第２挟持体３２が保持体３０の両端に所定の間隔で保持される構成である。
【００２６】
そして、第１挟持体３１は上押え部３３と下支え部３４とから成り、これらが一体に連
結して形成されている。同様に、第２挟持体３２は上押え部３５と下支え部３６とが一体
に連結して形成されている。
さらに、下支え部３４から延長し上押え部３３よりも突き出して形成した差込手段３４
ａが、下支え部３４に一体で連結して設けられている。同様に、上押え部３５よりも突き
出た差込手段３６ａが下支え部３６に一体で連結して設けられている構成である。
【００２７】
そして、図９に示すように、ページクリップ３の差込手段３４ａを本の紙葉の間に差し
込む。これにより上押え部３３と下支え部３４とを相対させて形成した第１挟持体３１の
挟持空間１７に、紙葉の一部を導き入れる。その導き入れられた紙葉を上押え部３３が軽
い弾力性で上から押え、下支え部３４が下から支える。
同様に差込手段３６ａを紙葉の間に差し込むことによって、上押え部３５と下支え部３
６とを相対させて形成した第２挟持体３２の挟持空間１８に、紙葉の一部を導き入れる。
その紙葉を上押え部３５が上から押え、下支え部３６が下から支える。これによって、本
の紙面がめくれたり閉じたりすることが防止される。
即ち、少量の紙葉を両挟持体３１，３２で挟持する構成は、紙面を弱く押えてページ押
えを行うことになり、ページ繰りが容易になる。且つ、差し込み動作ひとつでページ押え
が行え、余分な動作もなくページ繰りが行えるので、使い勝手が良くなる。
【００２８】
また、上押え部３３，３５の先端を、つま先を上げたような形状に形成して、案内手段
３３ａ，３５ａを設ける構成として、紙葉の両挟持体３１，３２への導入や挿入を、また
紙葉の両挟持体３１，３２からの抜き取りを容易にしている。即ち、「ページ押え時の円
滑なる案内効果」と「ページ繰り時の円滑なる案内効果」が得られる。
なお、挟持空間１７，１８の隙間寸法を、差込手段３４ａ，３６ａの差込方向（図８
のＲ矢視方向）に徐々に小さくし、最後には上押え部３３，３５と下支え部３４，３６と
が当接する構成とし、針金の弾力性を利用したページ押えを確実にすることが望ましい。
【００２９】
ところで、図８において、板金製の補強手段３７を保持体３０の側面に接合して保持体
３０を補強する構成（図８の二点鎖線で示す構成）とし、保持体３０の耐座屈強度を高め
るも可である。また、保持体３０の一部であって本の縁５４が当たる当縁部分３８の位置
より、補強手段３７の接合位置を反差込方向（図８の反Ｒ矢視方向）に後退させる構成と
し、ページ繰り時の紙の引っ掛かりを防止することが望ましい。
また、図８，図９において、上押え部と下支え部とを連結する連結箇所３９の位置を、
保持体３０の当縁部分３８の位置より、後方（図８の反Ｒ矢視方向，図９のＳ矢視方向）
に後退させる構成（あるいは後方に逃がす構成）とし、ページ繰り時の引っ掛かりを防止
して、紙葉の抜き取りと滑り込ましを円滑にすることが望ましい。
【００３０】
以上のような本実施例のページクリップ３により、ページ繰りが容易でページ押え操作
の簡単な本の紙面押え器具が提供される。
また、ページクリップ３は、その製作が容易である、製品が安価である、軽量で取り扱
い性に優れているという利点がある。
【実施例４】
【００３１】
図１０は、本発明の実施例４の本の紙面押え器具を示す斜視図であり、図１１は、実施
例４の本の紙面押え器具の使用態様を示す斜視図である。本実施例の本の紙面押え器具の
構成と動作は、前述の実施例３とほぼ同様であり、本実施例の実施例３と異なる構成と動
作について説明する。
本実施例のページクリップ４は、針金などから、保持体４０、第１挟持体４１及び第２
挟持体４２が一体で連結成形され、第１挟持体４１及び第２挟持体４２が保持体４０の両
端に所定の間隔で保持される構成である。そして、本５０の背５７を持ち上げる持上手段
４０ｄを保持体４０に一体で連結して設ける。また、保持体４０を継ぎ目管製の補強手段
４７で補強し、耐座屈強度を高めている。さらに、上押え部４３，４５の先端にページ繰
りのための案内手段４３ａ，４５ａを設ける構成としている。
【００３２】
なお、補強手段４７は、継ぎ目のある管（例えば、アルミ継ぎ目管）を針金に被せ加締
めて作るものであり、板金接合で作るよりも製作コストが安くなり望ましい。
また、実施例４の継ぎ目管製の補強手段４７を実施例３の板金製の補強手段３７に置き
換えた構成や、実施例３の板金製の補強手段３７を実施例４の継ぎ目管製の補強手段４７
に置き換えた構成でも良く、同様に補強効果が得られる。
【００３３】
そして、図１１に示すように、ページクリップ４の差込手段４４ａ，４６ａを本５０の
紙葉の間に差し込み、上押え部４３と下支え部４４との間及び上押え部４５と下支え部４
６との間に導き入れた紙葉の一部を、上押え部４３，４５で上から押え、下支え部４４，
４６で下から支える。
本実施例のページクリップ４によって、少量の紙葉を両挟持体４１，４２で挟持するこ
とにより、軽い力によるページ押えが可能になり、ページ繰りが容易になる。且つ差し込
み動作ひとつでページ押えが行えるので、使い勝手が良くなる。
【００３４】
ところで、本実施例のページクリップ４では、図１０に示すように、持上手段４０ｄが
保持体４０の中央部を下方に延長して形成されている。そして、図１１に示すように、ペ
ージクリップ４でページ押えを行ったとき、保持体４０の中央部から本５０の背５７の方
向に延長して形成した持上手段４０ｄが、開かれた本５０の背５７を持ち上げる。この持
上寸法（延長寸法）Ｈは本の大きさで定まり、例えば２.５ｃｍ〜７ｃｍ位が望ましい。
このように、本５０の天側の背５７を持ち上げることによって、読者の目線を本５０の
紙面に直交させることが可能になり、本が読み易くなるという効果が得られる。
なお、実施例１において、保持体１０に本の背を持ち上げる持上手段１０ｄを設ける構
成（図１の二点鎖線で示すように、保持体１０の中央部を本の背の方向に延長して持上手
段１０ｄを形成する構成）であっても良く、同様な効果が得られる。
【実施例５】
【００３５】
図１２は、本発明の実施例５の本の紙面押え器具を示す斜視図であり、図１３は、図１
２におけるＺ−Ｚ方向の拡大断面図である。本実施例の本の紙面押え器具の構成と動作は
、前述の実施例１と同様であり、本実施例の実施例１と異なる構成と動作について説明す
る。
本実施例のページクリップ７は、本の紙葉を挟持する一対の第１挟持体７１及び第２挟
持体７２と、間隔Ｃを有して両方の挟持体７１，７２を保持する保持体７０とを備え、例
えば、保持体７０及び両挟持体７１，７２をともに合成樹脂で成形した構成である。
なお、保持体７０は剛性の有る合成樹脂、両挟持体７１，７２は弾力性の有る合成樹脂
が望ましい。また、ページクリップ７は、全て金属の製品でも、また合成樹脂と金属の組
み合わせ製品でも可であるが、材質に拘泥するものではない。
【００３６】
上記保持体７０は、本の縁が当たる当縁部分７０ｂと、本の背を持上げる持上手段７０
ｄと、長手方向に延びる溝７０ｅとを有して構成されている。
尚、当縁部分７０ｂ及び持上手段７０ｄの長手方向の寸法Ｅを、本の背幅（本の厚さ）
寸法より大きくする構成として、ページ押えや持上げの安定化を図ることが望ましい。
【００３７】
一方、第１挟持体７１は、上押え部７３と下押え部７４とから成り、下押え部７４は凸
形状に形成した凸部７４ｂを有して構成されている。この凸部７４ｂは保持体７０の溝７
０ｅと嵌め合い、溝７０ｅに沿って移動する。すなわち、第１挟持体７１が溝７０ｅ及び
凸部７４ｂに案内されて、長手方向に移動することができる構成となっている。
同様に、第２挟持体７２は上押え部７５と下押え部７６とから成り、且つ下押え部７６
が凸部７６ｂを有して構成される。そして溝７０ｅに嵌合した凸部７６ｂに案内されて、
第２挟持体７２も長手方向に移動可能な構成となっている。
すなわち、第１挟持体７１及び第２挟持体７２はそれぞれ個別に長手方向の移動が可能
であり、第１挟持体７１と第２挟持体７２との間隔Ｃを、自在に調節することができる。
【００３８】
以上のように本実施例のページクリップ７では、保持体７０により第１挟持体７１と第
２挟持体７２とが保持される間隔Ｃを調節することができる構成としているので、一つの
ページクリップで、単行本と文庫本のような異なる大きさの本に対応することができる。
【００３９】
ところで本の紙面押え器具が金属製であれば、本の紙面押え器具に高級クロムメッキや
金メッキを施して高級感のある物にすることができる。そして、本の紙面押え器具に有名
ブランドの商標や人気キャラクターのイラストを標示すれば、更に高級感が出る。
そこで、両挟持体または保持体の少なくとも一つに、即ち当該本の紙面押え器具に、商
標やイラストなどを一カ所または複数カ所に標示して、この本の紙面押え器具を効果的に
宣伝する広告手段を設ける。本実施例では、第１挟持体７１（上押え部７３）の表面一カ
所に著作権を有するイラストを印刷したラベル７９を貼付し、広告手段としている。
この広告手段を設けることによって、本の紙面押え器具がキャラクターグッズの一つに
なり、またファッショナブルでヤング向けの文具、ブライダルの引き出物などになり、付
加価値が高まり販売促進に繋げられるという利点がある。
なお、有名ブランドの商標や人気キャラクターの標示広告以外に、新しく作成したイラ
スト、コピー、商標の標示や、またカラフルなデザインの標示等の広告でも良い。
また、本実施例のラベル貼付による広告手段以外に、ネームプレート取付による広告手
段、商標や人気キャラクターを直接表面に印刷・刻印・浮き出し・焼き付け等で標示する
ことによる広告手段などでも良い。  
【産業上の利用可能性】
【００４０】
本発明にかかる本の紙面押え器具は、ページ繰りが容易で使い勝手が良く、単行本、文
庫本など幅広く用いられるページ止めクリップ等として有用である。
【図面の簡単な説明】
【００４１】
【図１】本発明の実施例１の本の紙面押え器具を示す斜視図
【図２】図１におけるＸ−Ｘ矢視の拡大断面図
【図３】実施例１の本の紙面押え器具の使用態様を示す斜視図
【図４】図３におけるＹ−Ｙ矢視の断面図
【図５】他の実施例における保持体の拡大断面図
【図６】別の実施例における保持体の拡大断面図
【図７】本発明の実施例２の本の紙面押え器具を示す斜視図
【図８】本発明の実施例３の本の紙面押え器具を示す斜視図
【図９】実施例３の本の紙面押え器具の使用態様を示す斜視図
【図１０】本発明の実施例４の本の紙面押え器具を示す斜視図
【図１１】実施例４の本の紙面押え器具の使用態様を示す斜視図
【図１２】本発明の実施例５の本の紙面押え器具を示す斜視図
【図１３】図１２におけるＺ−Ｚ方向の拡大断面図
【図１４】従来のページ止めクリップの使用態様を示す斜視図
【符号の説明】
【００４２】
１，２，３，４，７                ページクリップ
１０，２０，３０，４０            保持体
１０ａ                            リブ
１０ｂ                            当縁部分
１０ｃ                            非当縁部分
１０ｄ，４０ｄ                    持上手段
１１，２１，３１，４１            第１挟持体
１２，２２，３２，４２            第２挟持体
１３，１５，２３，２５            上押え部
１３ａ，１５ａ，２３ａ，２５ａ    案内手段
１４，１６，２４，２６            下支え部
１４ａ，１６ａ，２４ａ，２６ａ    差込手段
１４ｂ，１６ｂ                    先端部
１４ｃ，１６ｃ                    先端角
１７，１８                        挟持空間
３３，３５，４３，４５            上押え部
３３ａ，３５ａ，４３ａ，４５ａ    案内手段
３４，３６，４４，４６            下支え部
３４ａ，３６ａ，４４ａ，４６ａ    差込手段
３７，４７                        補強手段
３８                              当縁部分
３９                              連結箇所
５０                              本
５１                              左ページ
５２                              右ページ
５３                              印刷境界線
５４                              縁      
５５                              文字印刷面
５６                              表紙（裏表紙）
５７                              背
７０                              保持体
７０ｂ                            当縁部分
７０ｄ                            持上手段
７０ｅ                            溝
７１                              第１挟持体
７２                              第２挟持体
７３，７５                        上押え部
７３ａ，７５ａ                    案内手段
７４，７６                        下支え部
７４ａ，７６ａ                    差込手段
７４ｂ，７６ｂ                    凸部
７８                              挟持空間
７９                              ラベル
【図１】
2008254416.tif 000003
【図２】
2008254416.tif 000004
【図３】
2008254416.tif 000005
【図４】
2008254416.tif 000006
【図５】
2008254416.tif 000007
【図６】
2008254416.tif 000008
【図７】
2008254416.tif 000009
【図８】
2008254416.tif 000010
【図９】
2008254416.tif 000011
【図１０】
2008254416.tif 000012
【図１１】
2008254416.tif 000013
【図１２】
2008254416.tif 000014
【図１３】
2008254416.tif 000015
【図１４】
2008254416.tif 000016